(57)【要約】【課題】  受信した画像に関するメモをユーザが容易に作成することを可能にする画像表示システムおよび画像表示方法を提供する。【解決手段】  ＣＰＵ１０５は、記憶装置１０１内の資料データを解析し、資料データによって生成される画面上の文字を示す文字情報、その文字の画面上の位置を示す文字位置情報および画像データとを取得し、文字情報および文字位置情報とを関連付ける。通信装置１０２は文字情報と文字位置情報および画像データを受信側通信端末装置２００に送信する。表示装置２０４はその送信された画像データに応じた画像を受信画像表示領域に表示する。入力装置２０３が受信画像表示領域上の文字を選択する選択指示を受け付けると、ＣＰＵ２０５はその選択された文字の画像上の位置を検出し、その検出した位置を示した文字位置情報に関連づけられた文字情報が示す文字をメモ入力領域に表示させる。【選択図】      図１
2005303795.tif 000002
【特許請求の範囲】
【請求項１】
資料データに基づいて生成される、画像を示す画像データと、前記画像に含まれる文字を示す文字情報と、該文字情報によって示される文字の前記画像上での位置を示す文字位置情報と、を送信する送信側通信装置と、該送信側通信装置から送信された画像データによって示される画像を表示する受信側通信装置とを含む画像表示システムにおいて、
前記送信側通信装置は、
前記文字情報、文字位置情報および画像データとを前記資料データから取得し、該文字情報と該文字位置情報とを関連づける情報取得部と、
前記情報取得部によって関連づけられた文字情報および文字位置情報と、前記情報取得部によって取得された画像データとを前記受信側通信装置に送信する送信部とを含み、
前記受信側通信装置は、
前記送信部から送信された、画像データ、文字情報および文字位置情報とを受信する受信部と、
前記受信部によって受信された画像データによって示される画像が表示される受信画像表示領域と、メモ入力が表示されるメモ入力領域と、を表示する表示部と、
ユーザによって入力された、前記受信画像表示領域に表示された画像に含まれる文字を選択する旨の選択指示を受け付ける選択指示入力部と、
前記選択指示入力部によって受け付けられた選択指示によって選択された文字の前記受信画像表示領域に表示された画像上の位置を検出し、その検出した位置を示した文字位置情報に関連づけられている文字情報によって示された文字を前記メモ入力領域に表示させるメモ制御部とを含むことを特徴とする画像表示システム。
【請求項２】
請求項１に記載の画像表示システムにおいて、
前記受信側通信装置は、ユーザによって入力されたメモ入力を受け付けるメモ入力部をさらに備え、
前記表示部は、前記メモ入力部によって受け付けられたメモ入力を前記メモ入力領域に表示する、画像表示システム
【請求項３】
請求項１または２に記載の画像表示システムにおいて、
前記表示部は、前記受信画像表示領域と前記メモ入力領域とを同時に表示する、画像表示システム。
【請求項４】
請求項３に記載の画像表示システムにおいて、
前記表示部は、前記受信画像表示領域と前記メモ入力領域とを横または縦に並べて表示する、画像表示システム。
【請求項５】
資料データに基づいて生成される、画像を示す画像データと、前記画像に含まれる文字を示す文字情報と、該文字情報によって示される文字の前記画像上での位置を示す文字位置情報と、を送信する送信側通信装置と、該送信側通信装置から送信された画像データによって示される画像を表示する受信側通信装置とを含む画像表示システムが行う画像表示方法であって、
前記送信側通信装置が前記文字情報、文字位置情報および画像データとを前記資料データから取得し、該文字情報と該文字位置情報とを関連づける情報取得ステップと、
前記送信側通信装置が前記情報取得ステップで関連づけられた文字情報および文字位置情報と、前記情報取得ステップで取得された画像データとを前記受信側通信装置に送信する送信ステップと、
前記受信側通信装置が前記送信ステップで送信された、画像データ、文字情報および文字位置情報とを受信する受信ステップと、
前記受信側通信装置が前記受信ステップで受信された画像データによって示された画像が表示される受信画像表示領域と、メモ入力が表示されるメモ入力領域と、を表示する表示ステップと、
前記受信側通信装置がユーザによって入力された前記受信画像表示領域に表示された画像に含まれる文字を選択する旨の選択指示を受け付ける選択指示入力ステップと、
前記受信側通信装置が前記選択指示入力ステップで受け付けられた選択指示によって選択された文字の前記受信画像表示領域に表示された画像上の位置を検出し、その検出した位置を示した文字位置情報に関連づけられている文字情報によって示された文字を前記メモ入力領域に表示させるメモ制御ステップとを含む画像表示方法。
【請求項６】
請求項５に記載の画像表示方法において、
前記受信側通信装置がユーザによって入力されたメモ入力を受け付けるメモ入力ステップをさらに備え、
前記表示ステップは、前記メモ入力ステップで受け付けられたメモ入力を前記メモ入力領域に表示する、画像表示方法。
【請求項７】
請求項５または６に記載の画像表示方法において、
前記表示ステップは、前記受信画像表示領域と前記メモ入力領域とを同時に表示する、画像表示方法。
【請求項８】
請求項７に記載の画像表示方法において、
前記表示ステップは、前記受信画像表示領域と前記メモ入力領域とを横または縦に並べて表示する、画像表示方法。
【発明の詳細な説明】
【技術分野】
【０００１】
本発明は、画像表示システムおよび画像表示方法に関する。
【背景技術】
【０００２】
従来、送信側装置が文字を含む画像を示した画像データを受信側装置に送信し、受信側装置が送信側装置から送信された画像データに応じた画像を表示する画像表示システムが知られている。
【０００３】
例えば、特許文献１（特開２００３−７８６９６号公報）には、表示ボード上の記載内容をイメージデータに変換し、そのイメージデータをテキストデータを含む表示データに変換し、その表示データをパーソナルコンピュータに配信する電子表示ボードシステムが記載されている。
【０００４】
また、特許文献２（特開平６−１５３１７１号公報）には、画像信号と、文字を示す文字情報と、その文字情報を前記画像信号に挿入する位置を示す文字位置情報とを受信側装置に送信する送信側装置と、送信側装置から送信された画像信号、文字情報および文字位置情報に基づいて、文字を含む画像の表示を行う受信側装置とを含む画像表示システムが記載されている。
【０００５】
特許文献１または特許文献２に記載されたような画像表示システムは、例えば、電子会議システムおよびプレゼンテーションシステムに用いられている。
【０００６】
従来の電子会議システムおよびプレゼンテーションシステムでは、送信側装置が、発表資料を示した電子ファイル（例えば、テキストファイルまたはプレゼンテーションファイル）を自己に内蔵するアプリケーションに読み込ませて、その発表資料の電子ファイルに応じた画像を送信側装置の表示部に表示させる。送信側装置は、送信側装置の表示部に表示された発表資料の電子ファイルに応じた画像をキャプチャーすることでイメージ画像を取得し、その取得したイメージ画像を受信側装置に送信していた。
【特許文献１】特開２００３−７８６９６号公報
【特許文献２】特開平６−１５３１７１号公報
【発明の開示】
【発明が解決しようとする課題】
【０００７】
しかしながら、従来の画像表示システムでは、受信側装置のユーザが送信側装置から送信されてきた画像についてのメモを電子的に作成する場合、受信側装置のユーザは、キーボードを操作することによって、受信した画像に含まれている文字を１つずつコンピュータ等の情報処理装置に入力するという煩わしい手間を行わなければならなかった。
【０００８】
特に、送信側装置から送信されてきた画面にたくさんの文字が含まれている場合、キーボードによって入力すべき文字が増えるため、受信側装置のユーザは、メモを正確に作成することができなくなるといった問題も生じる。
【０００９】
本発明の目的は、受信した画像に関するメモをユーザが容易に作成することを可能にする画像表示システムおよび画像表示方法を提供することである。
【課題を解決するための手段】
【００１０】
上記の目的を達成するために、本発明の画像表示システムは、資料データに基づいて生成される、画像を示す画像データと、前記画像に含まれる文字を示す文字情報と、該文字情報によって示される文字の前記画像上での位置を示す文字位置情報と、を送信する送信側通信装置と、該送信側通信装置から送信された画像データによって示される画像を表示する受信側通信装置とを含む画像表示システムにおいて、前記送信側通信装置は、前記文字情報、文字位置情報および画像データとを前記資料データから取得し、該文字情報と該文字位置情報とを関連づける情報取得部と、前記情報取得部によって関連づけられた文字情報および文字位置情報と、前記情報取得部によって取得された画像データとを前記受信側通信装置に送信する送信部とを含み、前記受信側通信装置は、前記送信部から送信された、画像データ、文字情報および文字位置情報とを受信する受信部と、前記受信部によって受信された画像データによって示される画像が表示される受信画像表示領域と、メモ入力が表示されるメモ入力領域と、を表示する表示部と、ユーザによって入力された、前記受信画像表示領域に表示された画像に含まれる文字を選択する旨の選択指示を受け付ける選択指示入力部と、前記選択指示入力部によって受け付けられた選択指示によって選択された文字の前記受信画像表示領域に表示された画像上の位置を検出し、その検出した位置を示した文字位置情報に関連づけられている文字情報によって示された文字を前記メモ入力領域に表示させるメモ制御部とを含む。
【００１１】
また、本発明の画像表示方法は、資料データに基づいて生成される、画像を示す画像データと、前記画像に含まれる文字を示す文字情報と、該文字情報によって示される文字の前記画像上での位置を示す文字位置情報と、を送信する送信側通信装置と、該送信側通信装置から送信された画像データによって示される画像を表示する受信側通信装置とを含む画像表示システムが行う画像表示方法であって、前記送信側通信装置が前記文字情報、文字位置情報および画像データとを前記資料データから取得し、該文字情報と該文字位置情報とを関連づける情報取得ステップと、前記送信側通信装置が前記情報取得ステップで関連づけられた文字情報および文字位置情報と、前記情報取得ステップで取得された画像データとを前記受信側通信装置に送信する送信ステップと、前記受信側通信装置が前記送信ステップで送信された、画像データ、文字情報および文字位置情報とを受信する受信ステップと、前記受信側通信装置が前記受信ステップで受信された画像データによって示された画像が表示される受信画像表示領域と、メモ入力が表示されるメモ入力領域と、を表示する表示ステップと、前記受信側通信装置がユーザによって入力された前記受信画像表示領域に表示された画像に含まれる文字を選択する旨の選択指示を受け付ける選択指示入力ステップと、前記受信側通信装置が前記選択指示入力ステップで受け付けられた選択指示によって選択された文字の前記受信画像表示領域に表示された画像上の位置を検出し、その検出した位置を示した文字位置情報に関連づけられている文字情報によって示された文字を前記メモ入力領域に表示させるメモ制御ステップとを含む。
【００１２】
上記の発明によれば、送信側通信装置は、文字情報および文字位置情報とを関連づけ、これら関連づけられた文字情報および文字位置情報と、画像データとを受信側通信装置に送信する。受信側通信装置は、送信側通信装置から送信された画像データによって示された画像中の文字がユーザによって入力された選択指示によって選択されると、その選択された文字の画像上の位置を検出し、その検出した位置を示した文字位置情報に関連付けられている文字情報によって示された文字をメモ入力領域に表示する。
【００１３】
このため、ユーザは、送信側通信装置から送信された画像データによって示された画像中の文字を選択するだけで、その画像中の文字をメモ入力領域に入力することが可能となる。よって、メモ入力領域に、送信側通信装置から送信された画像データによって示された画像中の文字をキーボードを用いて１つ１つ入力するというユーザの手間が軽減され、受信した画像に関するメモをユーザが容易に作成することが可能になる。
【００１４】
また、上記画像表示システムにおいて、前記受信側通信装置は、ユーザによって入力されたメモ入力を受け付けるメモ入力部をさらに備え、前記表示部は、前記メモ入力部によって受け付けられたメモ入力を前記メモ入力領域に表示することが望ましい。
【００１５】
また、上記画像表示方法において、前記受信側通信装置がユーザによって入力されたメモ入力を受け付けるメモ入力ステップをさらに備え、前記表示ステップは、前記メモ入力ステップで受け付けられたメモ入力を前記メモ入力領域に表示することが望ましい。
【００１６】
上記の発明によれば、ユーザは、多様なメモ入力を行うことが可能となる。
【００１７】
また、前記受信画像表示領域と前記メモ入力領域とが同時に表示されることが望ましい。上記の発明によれば、受信画像表示領域とメモ入力領域とを一目で対比することが可能となり、メモ入力の内容を確認しやすくなる。
【００１８】
また、前記受信画像表示領域と前記メモ入力領域とが横または縦に並べて表示されることが望ましい。
【発明の効果】
【００１９】
本発明によれば、送信側通信装置は、文字情報および文字位置情報とを関連づけ、これら関連づけられた文字情報および文字位置情報と、画像データとを受信側通信装置に送信する。受信側通信装置は、送信側通信装置から送信された画像データによって示された画像中の文字がユーザによって入力された選択指示によって選択されると、その選択された文字の画像上の位置を検出し、その検出した位置を示した文字位置情報に関連付けられている文字情報によって示された文字をメモ入力領域に表示する。
【００２０】
このため、ユーザは、送信側通信装置から送信された画像データによって示された画像中の文字を選択するだけで、その画像中の文字をメモ入力領域に入力することが可能となる。よって、メモ入力領域に、送信側通信装置から送信された画像データによって示された画像中の文字をキーボードを用いて１つ１つ入力するというユーザの手間が軽減され、受信した画像に関するメモをユーザが容易に作成することが可能になる。
【発明を実施するための最良の形態】
【００２１】
以下、本発明の実施例を図面を参照して説明する。
【００２２】
図１は、本発明の一実施例の画像表示システムを示したブロック図である。図１において、画像表示システムは、送信側通信端末装置１００および受信側通信端末装置２００とを含む。なお、受信側通信端末装置２００は複数台存在してもよい。
【００２３】
送信側通信端末装置１００は、資料データに基づいて生成される画像データを受信側通信端末装置２００に送信する。受信側通信端末装置２００は、送信側通信端末装置１００から送信された画像データによって示された画像を表示する。
【００２４】
なお、例えば、資料データとして、資料作成ソフト（プレゼンテーションソフト）、例えば、power point（パワーポイント：マイクロソフト社製プレゼンテーションソフト）を使用して作成された資料データ（資料ファイル）が用いられる。なお、資料データは、power pointを使用して作成された資料データに限るものではなく適宜変更可能である。
【００２５】
送信側通信端末装置１００は、記憶装置１０１と、通信装置１０２と、入力装置１０３と、表示装置１０４と、ＣＰＵ１０５とを含む。また、受信側通信端末装置２００は、通信装置２０１と、記憶装置２０２と、入力装置２０３と、表示装置２０４と、ＣＰＵ２０５とを含む。
【００２６】
メモリ等の記憶装置１０１は、コンピュータによって読み取り可能な記録媒体である。記憶装置１０１は、資料データを格納する。また、記憶装置１０１には、送信側通信端末装置１００の動作を規定するプログラムが記録されている。
【００２７】
送信部としての通信装置１０２は、受信側通信端末装置２００にデータを送信する。
【００２８】
入力装置１０３は、ユーザによって操作され、その操作によって示された情報を受け付ける。
【００２９】
表示装置１０４は、例えば、記憶装置１０１に格納されている資料データに基づいてＣＰＵ１０５によって生成された画像を表示する。
【００３０】
制御部としてのＣＰＵ（コンピュータ）１０５は、記憶装置１０１に記録されているプログラムを読み取り、読み取ったプログラムを実行することによって種々の動作を行う。
【００３１】
情報取得部としてのＣＰＵ１０５は、例えば、記憶装置１０１に格納されている資料データを解析し、その解析結果に基づいて、資料データによって生成される画面上の文字を示す文字情報およびその文字の画面上の位置を示す文字位置情報とを取得し、取得した文字情報および文字位置情報とを関連付ける。
【００３２】
例えば、ＣＰＵ１０５は、資料データに基づいて画像データを生成し、その生成した画像データをＯＣＲソフトウエア等を用いて画像処理することにより、その画像データによって示される画像に含まれる文字を示す文字情報を取得する。
【００３３】
また、ＣＰＵ１０５は、例えば、資料データに基づいて画像データを生成し、その生成した画像データを画像処理することにより、その画像データによって示される画像に含まれる文字の画像上での位置を示す文字位置情報（例えば、矩形位置情報）を取得する。
【００３４】
なお、ＣＰＵ１０５は、資料データに基づいて生成される画像に含まれる文字として、複数の文字により構成される文字列を用い、文字情報として、複数の文字から構成される文字列を示す文字列情報を用い、文字位置情報として、文字列の画面上での位置を示す文字列位置情報を用いることが望ましい。
【００３５】
また、ＣＰＵ１０５は、記憶装置１０１に格納されている資料データを解析し、その解析結果に基づいて画像データを取得する。例えば、ＣＰＵ１０５は、資料データに基づいて画像データを生成することによって画像データを取得する。
【００３６】
ＣＰＵ１０５は、関連づけた文字情報（文字列情報）および文字位置情報（文字列位置情報）と、取得した画像データとを受信側通信端末装置２００に送信する送信処理を通信装置１０２に実行させる。
【００３７】
受信部としての通信装置２０１は、送信側通信端末装置１００から送信されたデータ（文字情報、文字位置情報および画像データ）を受信する。
【００３８】
メモリ等の記憶装置２０２は、コンピュータによって読み取り可能な記録媒体である。記憶装置２０２は、通信装置２０１によって受信されたデータを格納する。また、記憶装置２０２には、受信側通信端末装置２００の動作を規定するプログラムが記録されている。
【００３９】
メモ入力部および選択指示入力部としての入力装置２０３は、ユーザによって操作され、その操作によって示された情報を受け付ける。例えば、入力装置２０３は、ユーザによって入力されたメモ入力を受け付ける。入力装置２０３によって受け付けられたメモ入力は記憶装置２０２に格納される。
【００４０】
表示部としての表示装置２０４は、通信装置２０１によって受信された画像データによって示された画像を表示する受信画像表示領域と、入力装置２０３によって受け付けられたメモ入力が表示されるメモ入力領域とを表示する。
【００４１】
図２は、受信画像表示領域およびメモ入力領域の一例を示した説明図である。
【００４２】
図２において、表示装置２０４は、受信画像表示領域３０１とメモ入力領域３０２とを含む受信データ表示ウィンドウ３００を表示する。受信画像表示領域３０１とメモ入力領域３０２とは、同時に表示される。なお、図２に示した例では、受信画像表示領域３０１とメモ入力領域３０２とは横に並べて表示されているが、それらを縦に並べて表示してもよい。ユーザは、受信画像表示領域３０１とメモ入力領域３０２とを一目で対比することが可能となり、メモ入力の内容を確認しやすくなる。なお、表示装置２０４は、受信画像表示領域３０１とメモ入力領域３０２とを同時に表示しなくてもよい。
【００４３】
図１に戻って、メモ制御部としてのＣＰＵ（コンピュータ）２０５は、記憶装置２０２に記録されているプログラムを読み取り、読み取ったプログラムを実行することによって種々の動作を行う。
【００４４】
例えば、ＣＰＵ２０５は、通信装置２０１が受信したデータ（文字情報、文字位置情報および画像データ）を記憶装置２０２に格納する。
【００４５】
また、ＣＰＵ２０５は、記憶装置２０２に格納された画像データによって示された画像を表示装置２０４の受信画像表示領域３０１に表示させる。
【００４６】
また、入力装置２０３が受信画像表示領域３０１に表示された画像に含まれる文字（文字列）を選択する旨の選択指示を受け付けると、ＣＰＵ２０５は、その選択指示によって選択された文字（文字列）の受信画像表示領域３０１に表示された画像上の位置を検出する。
【００４７】
ＣＰＵ２０５は、その検出した位置を示した文字位置情報（文字列位置情報）に関連づけられている文字情報（文字列情報）によって示された文字（文字列）をメモ入力領域３０２に表示させる。
【００４８】
次に動作を説明する。
【００４９】
図３は、図１に示した画像表示システムの動作を説明するためのフローチャートである。以下、図３を参照して画像表示システムの動作を説明する。なお、記憶装置１０１には、１つまたは複数の資料データが格納されているものとする。
【００５０】
ステップＡ１では、送信側通信端末装置１００のユーザは、記憶装置１０１に格納されている所望の資料データの送信開始を指示するように入力装置１０３を操作すると、入力装置１０３は、その所望の資料データを指示する旨の送信開始指示情報をＣＰＵ１０５に供給する。ステップＡ１の処理が終了すると、ＣＰＵ１０５は、ステップＡ２の処理を実行する。
【００５１】
ステップＡ２では、ＣＰＵ１０５は、入力装置１０３から供給された送信開始指示情報を受け付けると、受け付けた送信開始指示情報によって指示された所望の資料データを記憶装置１０１から読み込む。ＣＰＵ１０５は、ステップＡ２の処理を終了すると、ステップＡ３の処理を実行する。
【００５２】
ステップＡ３では、ＣＰＵ１０５は、記憶装置１０１から読み込んだ資料データを解析し、その解析結果に基づいて、記憶装置１０１から読み込んだ資料データによって生成される画像を示した画像データを取得する。ＣＰＵ１０５は、ステップＡ３の処理を終了すると、ステップＡ４の処理を実行する。
【００５３】
ステップＡ４では、ＣＰＵ１０５は、取得した画像データを表示装置１０４に供給する。表示装置１０４は、その供給された画像データによって示される画像を表示する。ＣＰＵ１０５は、ステップＡ４の処理を終了すると、ステップＡ５の処理を実行する。
【００５４】
ステップＡ５では、ＣＰＵ１０５は、ステップＡ３で取得した画像データを通信装置１０２に供給する。通信装置１０２は、ＣＰＵ１０５から供給された画像データを通信装置２０１へ送信する。ＣＰＵ１０５は、ステップＡ５の処理を終了すると、ステップＡ６の処理を実行する。
【００５５】
ステップＡ６では、ＣＰＵ１０５は、ステップＡ２で読み込んだ資料データを解析し、その解析結果に基づいて、資料データによって生成される画面上の文字（文字列）を示す文字情報（文字列情報）およびその文字（文字列）の画面上の位置を示す文字位置情報（文字列位置情報）とを取得し、取得した文字情報（文字列情報）および文字位置情報（文字列位置情報）とを関連付ける。なお、、本実施例では、文字位置情報（文字列位置情報）として、矩形位置情報を用いる。ＣＰＵ１０５は、ステップＡ６の処理を終了すると、ステップＡ７の処理を実行する。
【００５６】
ステップＡ７では、ＣＰＵ１０５は、ステップＡ６で関連づけた文字情報（文字列情報）および矩形位置情報とを通信装置１０２に供給する。通信装置１０２は、その関連づけた文字情報（文字列情報）および矩形位置情報とを通信装置２０１へ送信させる。
【００５７】
ステップＡ８では、通信装置２０１は、ステップＡ５で通信装置１０２から送信されてきた画像データを受信する。ＣＰＵ２０５は、通信装置２０１が画像データを受信すると、ステップＡ９の処理を実行する。
【００５８】
ステップＡ９では、ＣＰＵ２０５は、通信装置２０１によって受信された画像データを記憶装置２０２に保存する。ＣＰＵ２０５は、ステップＡ９の処理を終了すると、ステップＡ１０の処理を実行する。
【００５９】
ステップＡ１０では、ＣＰＵ２０５は、通信装置２０１によって受信された画像データを表示装置２０４に供給する。表示装置２０４は、通信装置２０１によって受信された画像データによって示された画像を受信画像表示領域３０１に表示する。
【００６０】
ステップＡ１１では、通信装置２０１は、ステップＡ７で通信装置１０２から送信された、互いに関連づけられた文字情報（文字列情報）および矩形位置情報とを受信する。ＣＰＵ２０５は、互いに関連づけられた文字情報（文字列情報）および矩形位置情報とを通信装置２０１が受信すると、ステップＡ１２の処理を実行する。
【００６１】
ステップＡ１２では、ＣＰＵ２０５は、通信装置２０１によって受信された、互いに関連づけられた文字情報（文字列情報）および矩形位置情報を記憶装置２０２に保存する。
【００６２】
ステップＡ１３では、受信側通信端末装置２００のユーザが、受信画像表示領域３０１に表示されている画像上にある文字（文字列）を選択するために、例えばその画像上の文字（文字列）をクリックするように入力装置２０３を操作すると、入力装置２０３は、受信側通信端末装置２００のユーザによって入力された、受信画像表示領域３０１に表示された画像に含まれる文字（文字列）を選択する旨の選択指示を受け付ける。
【００６３】
ステップＡ１４では、ＣＰＵ２０５は、入力装置２０３によって受け付けられた選択指示によって選択された文字（文字列）の受信画像表示領域３０１に表示された画像上の位置を検出する。ＣＰＵ２０５は、その検出した位置を示した矩形位置情報を、記憶装置２０２に格納された矩形位置情報の中から検索し、その検索により見つけ出した矩形位置情報に関連づけられている文字情報（文字列情報）を記憶装置２０２から取得する。ＣＰＵ２０５は、ステップＡ１４の処理が終了すると、ステップＡ１５の処理を実行する。
【００６４】
ステップＡ１５では、ＣＰＵ２０５は、ステップＡ１４で取得した文字情報（文字列情報）によって示された文字（文字列）を表示装置２０４のメモ入力領域３０２に表示させる。
【００６５】
本実施例によれば、送信側通信端末装置１００は、文字情報および文字位置情報とを関連づけ、これら関連づけられた文字情報および文字位置情報と、画像データとを受信側通信端末装置２００に送信する。受信側通信端末装置２００は、送信側通信端末装置１００から送信された画像データによって示された画像中の文字が、ユーザによって入力された選択指示によって選択されると、その選択された画像上の文字の位置を検出し、その検出した位置を示した文字位置情報に関連付けられている文字情報によって示された文字をメモ入力領域に表示する。
【００６６】
このため、ユーザは、送信側通信端末装置１００から送信された画像データによって示された画像中の文字を選択するだけで、画像中の文字をメモ入力領域３０２に入力することが可能となる。よって、受信画面表示領域３０１に示された画像中の文字をキーボードを使ってメモ入力領域３０２に入力するというユーザの手間が軽減され、受信した画像に関するメモをユーザが容易に作成することが可能になる。
【００６７】
特に、資料データに基づいて生成される画像に含まれる文字として、複数の文字により構成される文字列を用い、文字情報として、複数の文字により構成される文字列を示す文字列情報を用い、文字位置情報として、その文字列の画像上での位置を示す文字列位置情報を用いると、ユーザは、送信側通信端末装置１００から送信された画像データによって示された画面中の文字列を選択するだけで、画像中の文字列をメモ入力領域３０２に入力することが可能となる。よって、受信画面表示領域３０１に示された画像中の文字をメモ入力領域３０２に入力するというユーザの手間がさらに軽減される。
【００６８】
本実施例は、ネットワークを用いた会議システムまたはプレゼンテーションシステムといった用途に適用できる。
【００６９】
以上説明した実施例において、図示した構成は単なる一例であって、本発明はその構成に限定されるものではない。
【図面の簡単な説明】
【００７０】
【図１】本発明の一実施例の画像表示システムを示したブロック図である。
【図２】図１に示した表示装置２０４の表示の一例を示した説明図である。
【図３】図１に示した画像表示システムの動作を説明するためのフローチャとである。
【符号の説明】
【００７１】
１００      送信側通信端末装置
１０１      記憶装置
１０２      通信装置
１０３      入力装置
１０４      表示装置
１０５      ＣＰＵ
２００      受信側通信端末装置
２０１      通信装置
２０２      記憶装置
２０３      入力装置
２０４      表示装置
２０５      ＣＰＵ
【図１】
2005303795.tif 000003
【図２】
2005303795.tif 000004
【図３】
2005303795.tif 000005